(57)【特許請求の範囲】
【請求項１】
スポーツ用品の外表面にシール部材を貼着しており、該シール部材の表面を除く前記外表面である周辺領域に該シール部材と境界を接して被膜が設けられており、該被膜とシール部材との境界における被膜の表面は前記シール部材の表面よりも高いことを特徴とするスポーツ用品。
【請求項２】
前記シール部材は、接着剤の層又は粘着剤の層を介して前記スポーツ用品の外表面に対面する基盤部材と、該基盤部材の上側に位置し、透明又は半透明であって、平面視形状が基盤部材と同じである保護部材とを具備する請求項１記載のスポーツ用品。
【請求項３】
前記基盤部材と保護部材との間に、少なくとも基盤部材の一部を残して露出させた状態の基盤上層を介在させた請求項２記載のスポーツ用品。
【請求項４】
前記シール部材と被膜との境界における表面高さの差は２５〜９０μｍの範囲内である請求項１〜３の何れか１記載のスポーツ用品。
【請求項５】
シール部材の表面に該シール部材と同一の平面視形状のマスキング部材を重畳させたシール部材体を、そのマスキング部材とは厚さ方向反対側の面をスポーツ用品の外表面に対面させて貼着させ、
該シール部材体を貼着させた後、少なくともシール部材体の境界と連続させて該シール部材体の周辺領域である前記外表面に被膜を設け、該被膜とシール部材体との境界における被膜の表面がシール部材表面よりも高くなる厚さに被膜が設けられ、
該被膜形成後に前記マスキング部材を剥がす
ことを特徴とするスポーツ用品の製造方法。
【発明の詳細な説明】
【技術分野】
【０００１】
本発明は、釣竿やリール装着部品等の釣用品、ゴルフクラブ等のゴルフ用品、テニスラケット等のテニス用品、バトミントンラケット等のバトミントン用品、スキーのストック等のスキー用品、自転車フレーム等の自転車用品、等のスポーツ用品とその製法に関する。管状体表面、中実棒体表面、平板やその他部材の表面上への文字や図柄の形成（模様の形成を含む）に関する。
【背景技術】
【０００２】
スポーツ用品の一つとしての釣竿表面に文字等を設けた例が下記特許文献１と２に開示されている。前者では、部材本体上に所定形状のフィルムを貼着して文字等の装飾層を突出形成している。そして必要に応じて最外層として透明か半透明の保護層を設ける。後者は、グリップ等の部材本体にレーザーによって文字等を掘り込んで形成し、文字等の耐摩耗性を保持している。
【特許文献１】特開２０００−２１８９９９号公報
【特許文献２】特開２００２−３０６０２９号公報
【発明の開示】
【発明が解決しようとする課題】
【０００３】
然しながら、前者では、装飾層表面が周辺領域に対して突出しているため、その装飾層表面が傷付き易い。部材が釣竿の場合、地面に落下させると突出した装飾層表面に傷が付き易い。また、保護層を最外層として設けた場合も、落下したり、手で擦ることを繰り返しているとその保護層表面に傷が付き易く、保護層に傷が付けば文字等の視認性や装飾性が低下する。後者では文字等が摩耗し難いが、その文字等を部材本体に彫り込むため、その部材が強い外力を受ける物である場合、部材そのものの強度低下を招くため、好ましくない。
依って解決しようとする課題は、部材本体の強度低下を招かず、文字や図柄の視認性や装飾性を維持するすることのできるスポーツ用品とその製法を提供する。
【課題を解決するための手段】
【０００４】
第１の発明では、スポーツ用品の外表面にシール部材を貼着しており、該シール部材の表面を除く前記外表面である周辺領域に該シール部材と境界を接して被膜が設けられており、該被膜とシール部材との境界における被膜の表面は前記シール部材の表面よりも高いことを特徴とするスポーツ用品を提供する。
被膜とは、塗装、転写を含む印刷、メッキ、ドライプレーティング、ゴム材や樹脂材を射出成形すること、等によって、スポーツ用品本体の表面の上、又は該表面の上に下地塗り層等の何等かの層を形成しており、この層の上に形成したものをいう。
シール部材とは、部材表面に貼着できるものでさえあればよく、樹脂製シールの他、金箔や銀箔等の貴金属を延伸させた箔や物理蒸着させた箔、金属板、ホログラム箔、顔料や染料を基盤部材に混入させたり基盤部材表面に被着させたもの、透明又は半透明であって極薄膜を複数層重ねて光の屈折を異ならしめた構造発色体、等で形成したり、また、これらの組合せで形成できる。これらの狙いは、シール部材の文字や形状に装飾性を持たせることである。
【０００５】
第２の発明では、第１の発明のシール部材は、接着剤の層又は粘着剤の層を介してそのスポーツ用品の外表面に対面する基盤部材と、該基盤部材の上側に位置し、透明又は半透明であって、平面視形状が基盤部材と同じである保護部材とを具備するよう構成する。
第３の発明では、第２の発明の基盤部材と保護部材との間に、少なくとも基盤部材の一部を残して露出させた状態の基盤上層を介在させる。
【０００６】
第４の発明では、第１〜第３の発明におけるシール部材と被膜との境界における表面高さの差は２５〜９０μｍの範囲内であるよう構成する。
【０００７】
第５の発明では、シール部材の表面に該シール部材と同一の平面視形状のマスキング部材を重畳させたシール部材体を、そのマスキング部材とは厚さ方向反対側の面をスポーツ用品の外表面に対面させて貼着させ、該シール部材体を貼着させた後、少なくともシール部材体の境界と連続させて該シール部材体の周辺領域である前記外表面に被膜を設け、該被膜とシール部材体との境界における被膜の表面がシール部材表面よりも高くなる厚さに被膜が設けられ、該被膜形成後に前記マスキング部材を剥がすことを特徴とするスポーツ用品の製造方法を提供する。
【発明の効果】
【０００８】
第１の発明では、シール部材と境界を接した周辺領域に設けた被膜が、その境界において、シール部材表面よりも高く形成されているため、シール部材はその輪郭を高さの高い（厚い）被膜によって囲まれており、輪郭部の被膜よりも低い位置にあるため、スポーツ用品を落下等させても、地面等が直接にシール部材表面に当たり難く、シール部材表面に傷が付き難い。また、このシール部材は用品本体を掘り込んで設けているわけではないため、スポーツ用品の強度を低下させることは無い。
【０００９】
第２の発明は、１つの実施形態を規定しており、第３の発明は、その第２の発明を更に限定規定している。第３の発明では、基盤部材に対して基盤上層が加わって、更に装飾性を向上させることができる。第４の発明も、シール部材と被膜との高さの差を規定しており、この高さの差の範囲であれば、シール部材の表面が傷付くことを防止できると共に、表面高さ位置の高い被膜がスポーツ用品として邪魔になることも無い。
【００１０】
第５の発明では、シール部材の表面に該シール部材と同一の平面視形状のマスキング部材を重畳させたシール部材体を貼着しているため、シール部材体と境界を接する周辺領域に被膜を形成する場合、シール部材体の表面を含めて被膜を形成したとしても、後でマスキング部材を剥がすだけで、シール部材表面には被膜が残らないで済む。被膜はシール部材体との境界においてシール部材表面よりも高くなる厚さに設けるので、形成後のスポーツ用品は、シール部材表面が被膜よりも低い位置にあり、傷付きから保護できる。
【発明を実施するための最良の形態】
【００１１】
以下、本発明を添付図面に示す実施形態例に基づき更に詳細に説明する。図１は本発明に係るスポーツ用品の１例としての釣竿１０の部分図である。図２は図１の矢視線Ｂ−Ｂによる拡大部分横断面図である。繊維強化樹脂材（ＦＲＰ）である釣竿本体１０Ｈの外表面に、ここではＡ，Ｂ，Ｃの各文字のシール部材１２を貼着させている。また、そのシール部材の表面を除く釣竿本体の外表面（シール部材と境界を接する周辺領域）に、塗膜からなる被膜２０が設けられている。この被膜２０の厚さは、シール部材１２との境界では該シール部材の厚さよりも厚い。被膜２０が複数の層からなる場合は、最外層表面までの被膜全体の厚さがシール部材厚さよりも厚い。従って、シール部材１２は高さの高い被膜２０によって囲まれた低い位置にある。境界における被膜２０の外表面位置Ｐ２０と、同じ境界におけるシール部材１２の外表面位置Ｐ１２との高さの差は、本実施例では７０μｍであるが、２５〜９０μｍであればよい。
【００１２】
また、シール部材１２の円周角θの大きさ（円周方向幅）と、前記外表面位置Ｐ２０とＰ１２との高さの差寸法との関係によって、前記位置Ｐ２０とは円周方向反対側の境界における外表面位置Ｐ２０’とを直線で結んだ場合、シール部材１２の外表面の何処もその直線よりも低ければ、落下等した場合に、シール部材表面が更に傷付き難くてよい。
【００１３】
上記釣竿１０の製造方法としては、まず、図３に示すシール部材１２を有するシート部材を準備する。即ち、所定の輪郭を有するシール部材１２の上側に、該シール部材と同一形態のマスキング部材１４を重畳させておく。ここではシール部材とマスキング部材とが重畳したものをシール部材体１５と称し、このシール部材体のマスキング部材側表面に、透明状であってシール部材体よりも広いフィルム１６を重畳させる。一方、シール部材体のシール部材側裏面（下側面）には、台紙１８を重畳させておく。
【００１４】
上記の如く形成されたシート部材を、対象物品である釣竿１０にシール部材１２を貼着する前に台紙１８を剥がす。この例では、３つの文字Ａ，Ｂ，Ｃの各シール部材体１５が適宜な間隔で並べられて仮保持貼着されているフィルム１６を作業者が持って、台紙と対面していたシール部材１２の面を、透明状のフィルム１６の上から透視しつつ釣竿本体１０Ｈ表面の所定位置に宛がい、貼着させる。このシール部材体１５の釣竿本体への貼着作業が終了すれば、フィルム１６を剥がして除去する。
【００１５】
その後、シール部材体１５と境界を接する周辺領域である釣竿本体１０Ｈの外表面に被膜２０を形成する。この被膜形成に際して、シール部材体の表面、即ち、マスキング部材１４の表面に被膜が形成されても問題は無い。マスキング部材は被膜形成後に除去するからである。
【００１６】
図３でのシール部材１２は、文字や図形を表現する基盤部材１２Ａの上に、印刷層１２Ｃが部分的に設けられ、この上に、基盤部材と同一形状の透明又は半透明の樹脂フィルム１２Ｂが設けられている。図１と図２に示す例では、シール部材１２に前記印刷層１２Ｃは無い。このようにシール部材１２は所望の文字や図形を表現していればよく、その構造、形態は任意である。
【００１７】
１例としての具体的な層構造を説明する。基盤部材１２Ａは厚さ２５μｍの銀色ＰＥＴ（ポリエチレンテレフタレート）、印刷層１２Ｃは２０μｍ程度の灰色塗料層、樹脂フィルム１２Ｂは、厚さ１２μｍの透明ＰＥＴ、マスキング部材１４は厚さ７０μｍの艶消し透明（半透明）のＰＶＣ（塩化ビニル樹脂）、フィルム１６は厚さ５０μｍの透明ＰＥＴである。台紙１８はシート部材を平板状に保持するための厚さを有して適宜な撓み剛性があればよい。台紙としては、紙、ＰＰ（ポリプロピレン）、ＰＥＴ、ＰＶＣ等が使用でき、厚さは２５〜１００μｍが好ましい。
【００１８】
上記シート部材の使用方法から明らかなように、各層間の接着力を小さい方から順に記載すると、基盤部材１２Ａと台紙１８との間、マスキング部材１４とフィルム１６との間、シール部材１２とマスキング部材１４との間の順序である。また、シール部材１２に樹脂フィルム１２Ｂが存在する場合は、この樹脂フィルム１２Ｂと基盤部材１２Ａ又は印刷層１２Ｃ間が前記の各層間の接着力よりも大きい必要がある。また、シール部材１２と釣竿本体１０Ｈ（貼着対象部材）の間の接着力は最も大きい。このように構成すると、最初に台紙を剥がす際に、フィルム１６等が共剥がれすることを防止でき、また、シール部材をスポーツ用品に貼着した後マスキング部材１４を剥がす際に、シール部材１２が共剥がれすることを防止できる。
【００１９】
被膜２０は、塗装、印刷（転写を含む）、メッキ、ドライプレーティング、又はゴム材や樹脂材を射出成形すること、等によって、釣竿本体１０Ｈの表面に層を形成したものである。この実施例では、被膜２０は、シール部材１２の表面を除いて釣竿本体１０Ｈの全周（３６０度）に亘って形成している。その長さ範囲は図１のＡ，Ｂ，Ｃの３文字の配設領域長さを超えるような、文字、図柄の長さ範囲をカバーする適宜な長さ範囲である。然しながら、釣竿本体１０Ｈの全周に亘って設けるのではなく、例えばシール部材の領域を含む半周等、部分的に設けてもよい。
【００２０】
シール部材１２とは、貼着できるものでさえあればよく、樹脂製シールの他、金箔や銀箔等の貴金属を延伸させた箔や物理蒸着させた箔、金属板、ホログラム箔、顔料や染料を基盤部材に混入させたり基盤部材表面に被着させたもの、透明又は半透明であって極薄膜を複数層重ねて光の屈折を異ならしめた構造発色体、等で形成したり、また、これらの組合せでも形成できる。また、継合式の釣竿で言えば、継合時に互いに擦りあう継合領域部に文字、図柄等を施しても、その周囲の被膜の方が高いので、そうした文字、図柄の耐久性が維持される。
【産業上の利用可能性】
【００２１】
本発明は釣竿やリール装着部品等の釣用品、ゴルフクラブ等のゴルフ用品、テニスラケット等のテニス用品、バトミントンラケット等のバトミントン用品、スキーのストック等のスキー用品、自転車フレーム等の自転車用品に利用できる。
【図面の簡単な説明】
【００２２】
【図１】図１は本発明に係るスポーツ用品の例としての釣竿の部分図である。
【図２】図２は図１の矢視線Ｂ−Ｂによる拡大部分横断面図である。
【図３】図３は図１の釣竿形成に使用され得るシート部材の断面構造模式図である。
【符号の説明】
【００２３】
１０                    釣竿
１０Ｈ                  釣竿本体
１２Ａ                  基盤部材
１２Ｂ                  樹脂フィルム
１２Ｃ                  印刷層
１２                    シール部材
１４                    マスキング部材
１５                    シール部材体
１６                    フィルム
２０                    被膜
【図１】
0004536683.tif 000002
【図２】
0004536683.tif 000003
【図３】
0004536683.tif 000004